(57)【要約】  複数の送信ポイントを利用して通信を行う場合であっても通信を適切に行うために、本開示のユーザ端末の一態様は、複数の送信ポイントから送信される下り共有チャネルのスケジューリングに利用される１以上の下り制御情報を、下り制御チャネルをモニタして受信する受信部と、受信した下り制御情報に含まれる情報に基づいて、所定期間に送信される下り制御情報の数を判断する制御部と、を有する。
2019239503.tif 000002
【特許請求の範囲】
【請求項１】
複数の送信ポイントから送信される下り共有チャネルのスケジューリングに利用される１以上の下り制御情報を、下り制御チャネルをモニタして受信する受信部と、
受信した下り制御情報に含まれる情報に基づいて、所定期間に送信される下り制御情報の数を判断する制御部と、を有することを特徴とするユーザ端末。
【請求項２】
前記制御部は、所定の制御チャネル要素及び所定のアグリゲーションレベルの少なくとも一方に対応する下り制御情報に含まれる所定フィールドに基づいて、前記所定期間に送信される下り制御情報の数を決定することを特徴とする請求項１に記載のユーザ端末。
【請求項３】
各下り制御情報の前記所定フィールドに含まれる情報がそれぞれ異なることを特徴とする請求項２に記載のユーザ端末。
【請求項４】
前記制御部は、受信した下り制御情報に含まれる所定フィールドの値が所定値である場合、下り制御情報の検出を停止することを特徴とする請求項２又は請求項３に記載のユーザ端末。
【請求項５】
前記制御部は、所定の制御リソースセット及び所定のサーチスペースインデックスの少なくとも一方を適用して送信される下り制御情報に含まれる所定フィールドに基づいて、前記所定期間に送信される下り制御情報の数を決定することを特徴とする請求項２から請求項４のいずれかに記載のユーザ端末。
【請求項６】
前記下り制御情報に、前記所定期間に送信される下り制御情報のトータル数に関する情報、及び所定期間に送信される下り制御情報のカウンタ値に関する情報の少なくとも一つが含まれることを特徴とする請求項１に記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延等を目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＮＲ（New  Radio）、ＮＸ（New  radio  access）、ＦＸ（Future  generation  radio  access）、ＬＴＥ  Ｒｅｌ．１３、１４又は１５以降等ともいう）も検討されている。【０００３】
既存のＬＴＥシステム（例えば、ＬＴＥ  Ｒｅｌ．８−１３）では、ユーザ端末（ＵＥ：User  Equipment）は、無線基地局からの下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ、５Ｇ、５Ｇ＋又はＲｅｌ．１６以降）では、ビームフォーミング（ＢＦ：Beam  Forming）を利用して通信を行うことが検討されている。ＢＦを利用した通信品質を向上するために、複数の信号間の疑似コロケーション（ＱＣＬ：Quasi-Co-Location）の関係（ＱＣＬ関係）を考慮して信号の送信及び受信の少なくとも一つを制御することが検討されている。【０００６】
また、将来の無線通信システムでは、複数の送信ポイントからノンコヒーレント（non-coherent  transmission）となるＤＬ信号（例えば、ＰＤＳＣＨ）が協調して送信されることも想定される。この場合、１又は複数の下り制御情報（又はＰＤＣＣＨ）を利用して、複数の送信ポイントから送信されるＰＤＳＣＨのスケジューリングを制御することも考えられる。【０００７】
しかし、複数の送信ポイントから送信されるＰＤＳＣＨのスケジューリングを１以上のＤＣＩを用いて制御する場合、当該ＤＣＩの受信処理をどのように制御するかが問題となる。例えば、ＵＥは、ＤＣＩを受信するために、当該ＤＣＩの送信に利用される下り制御チャネルをモニタ（又は、検出）する必要があるが、具体的な処理については十分に検討されていない。下り制御情報又は下り制御チャネルの受信処理が適切に行われない場合、複数の送信ポイントを利用した通信の品質が劣化するおそれがある。【０００８】
本開示はかかる点に鑑みてなされたものであり、複数の送信ポイントを利用して通信を行う場合であっても通信を適切に行うことが可能なユーザ端末を提供することを目的の一つとする。
【課題を解決するための手段】
【０００９】
本開示の一態様に係るユーザ端末は、複数の送信ポイントから送信される下り共有チャネルのスケジューリングに利用される１以上の下り制御情報を、下り制御チャネルをモニタして受信する受信部と、受信した下り制御情報に含まれる情報に基づいて、所定期間に送信される下り制御情報の数を判断する制御部と、を有することを特徴とする。
【発明の効果】
【００１０】
本開示の一態様によれば、複数の送信ポイントを利用して通信を行う場合であっても通信を適切に行うことができる。
【図面の簡単な説明】
【００１１】
【図１】図１Ａ及び図１Ｂは、複数の送信ポイントからＰＤＳＣＨが送信される場合の一例を示す図である。
【図２】図２は、ＵＥに通知されるＰＤＣＣＨ構成の一例を示す図である。
【図３】図３は、サーチスペースとＰＤＳＣＨ関連情報との関連付けの一例を示す図である。
【図４】図４は、制御リソースセットとＰＤＳＣＨ関連情報との関連付けの一例を示す図である。
【図５】図５は、ＤＣＩ毎にＰＤＣＣＨ構成をそれぞれ設定する場合の一例を示す図である。
【図６】図６は、サーチスペースとＰＤＳＣＨ関連情報との関連付けの一例を示す図である。
【図７】図７は、各スロットにおける複数送信ポイントからのＰＤＳＣＨとＤＣＩの送信制御の一例を示す図である。
【図８】図８Ａ及び図８Ｂは、複数の送信ポイントからＵＥに送信されるＤＣＩのフィールドを説明する図である。
【図９】図９は、各ＤＣＩのフィールドの一例を示す図である。
【図１０】図１０は、ＤＣＩのトータル数とカウント値を含むＤＣＩフィールドの一例を示す図である。
【図１１】図１１は、本実施の形態に係る無線通信システムの概略構成の一例を示す図である。
【図１２】図１２は、本実施の形態に係る無線基地局の全体構成の一例を示す図である。
【図１３】図１３は、本実施の形態に係る無線基地局の機能構成の一例を示す図である。
【図１４】図１４は、本実施の形態に係るユーザ端末の全体構成の一例を示す図である。
【図１５】図１５は、本実施の形態に係るユーザ端末の機能構成の一例を示す図である。
【図１６】図１６は、本実施の形態に係る無線基地局及びユーザ端末のハードウェア構成の一例を示す図である。
【発明を実施するための形態】
【００１２】
将来の無線通信システム（例えば、Ｒｅｌ．１６以降）では、複数の送信ポイントからそれぞれノンコヒーレントなＤＬ（例えば、ＰＤＳＣＨ）送信が行われることが検討されている。複数の送信ポイントからノンコヒーレントとなるＤＬ信号（又は、ＤＬチャネル）を協調して行う送信は、ＮＣＪＴ（Non-Coherent  Joint  Transmission）と呼んでもよい。また、本明細書において、送信ポイントは、送受信ポイント（ＴＲＰ）、パネル（ｐａｎｅｌ）、又はセルと読み替えられてもよい。
【００１３】
複数の送信ポイントからそれぞれ送信されるノンコヒーレントのＰＤＳＣＨのスケジューリングを１以上のＤＣＩを用いて制御することも想定される。一例として、複数の送信ポイントから送信されるＰＤＳＣＨをスケジューリングするために、複数の下り制御チャネル（例えば、ＰＤＣＣＨ）及びＤＣＩの少なくとも一つが利用される。
【００１４】
図１Ａでは、複数のパネルからＰＤＳＣＨ（例えば、ＮＣＪＴを利用したＰＤＳＣＨ）がＵＥに送信される場合を示し、図１Ｂでは、複数の送受信ポイント（ＴＲＰ）からＰＤＳＣＨ（例えば、ＮＣＪＴを利用したＰＤＳＣＨ）がＵＥに送信される場合を示している。
【００１５】
この場合、各送信ポイント（例えば、パネル又はＴＲＰ）から送信されるＰＤＳＣＨのスケジューリング用にＤＣＩを別々に設定することも考えられる。例えば、送信ポイント＃Ａから送信されるＰＤＳＣＨをスケジューリングする第１のＤＣＩ＃Ａと、送信ポイント＃Ｂから送信されるＰＤＳＣＨをスケジューリングする第２のＤＣＩ＃ＢをＵＥに送信する構成としてもよい。
【００１６】
このように、複数の送信ポイントからそれぞれＰＤＳＣＨが送信される場合、各ＰＤＳＣＨに対応するＤＣＩ又はＰＤＣＣＨのモニタリングをどのように制御するかが問題となる。例えば、複数のＰＤＣＣＨのモニタリングを行う場合にＵＥ動作をどのように制御するかが問題となる。
【００１７】
本発明者等は、本開示の一態様として、ＵＥに設定されるＰＤＣＣＨ構成に制御リソースセットとサーチスペースに関する情報が含まれる点に着目し、ＰＤＣＣＨの関連情報と、各送信ポイントから送信されるＰＤＳＣＨの関連情報とを関連付けて設定することを着想した。
【００１８】
あるいは、本発明者等は、本開示の他の態様として、所定のＤＣＩに所定期間に複数の送信ポイントから送信されるＤＣＩの数に関する情報を含めてＵＥに通知することを着想した。
【００１９】
以下、本実施の形態について、図面を参照して詳細に説明する。なお、以下に示す送信ポイントは、パネル及び送受信ポイントの少なくとも一方に読み替えてもよい。
【００２０】
（第１の態様）
第１の態様では、ＰＤＣＣＨの関連情報と、各送信ポイントから送信されるＰＤＳＣＨの関連情報とを関連付けて設定する。
【００２１】
ＰＤＣＣＨの関連情報は、ＰＤＣＣＨ構成（PDCCH-Config）、サーチスペース（Search  Space）、及び制御リソースセット（ＣＯＲＥＳＥＴ：Control  Resource  Set）の少なくとも一つであってもよい。ＰＤＳＣＨの関連情報は、各送信ポイントからのＰＤＳＣＨを受信するために利用される、ＰＤＳＣＨ、コードワード、ＤＭＲＳポートグループ、及び送信ポイントの少なくとも一つに関する情報（インデックス指示（index  indication））であってもよい。また、ＰＤＳＣＨの関連情報は、各送信ポイントの関連情報と呼んでもよい。
【００２２】
ＰＤＣＣＨ構成は、制御リソースセットに関する情報（例えば、制御リソースセットＩＤ）と、サーチスペースセットに関する情報（例えば、サーチスペースセットＩＤ）とが含まれ、上位レイヤ（例えば、ＲＲＣシグナリング等）でＵＥに通知されてもよい（図２参照）。上位レイヤで設定されるＰＤＣＣＨ構成は、ＵＥがＰＤＣＣＨを取得するために、制御リソースセット、サーチスペース及び追加パラメータ等のＵＥ固有ＰＤＣＣＨパラメータの設定に利用される。上位レイヤで設定されるＰＤＣＣＨ構成は、ＰＤＣＣＨ構成用の情報要素（PDCCH-Config  IE）と呼ばれてもよい。
【００２３】
基地局は、サーチスペースと、制御リソースセットに関する情報をそれぞれ上位レイヤでＵＥに通知してもよい。上位レイヤで通知されるサーチスペースの情報は、サーチスペースセット用の情報要素（IE  SearchSpace）と呼ばれてもよい。上位レイヤで通知される制御リソースセットの情報は、コントロールリソースセット用の情報要素（IE  ControlResourceSet）と呼ばれてもよい。
【００２４】
サーチスペースセット用の情報要素は、ＰＤＣＣＨ候補（PDCCH  candidates）について、どのように又はどの場所（how/where）をサーチするかをＵＥに設定する。また、各サーチスペースは、１つの制御リソースセットに関連付けられる。
【００２５】
サーチスペースセット用の情報要素には、例えば、サーチスペースセットＩＤ（searchSpaceId）、制御リソースセットＩＤ（controlResourceSetId）、モニタするスロットの周期及びオフセット（monitoringSlotPeriodicityAndOffset）、スロットにおけるモニタするシンボル（monitoringSymbolsWithinSlot）、各アグリゲーションレベルの候補数（nrofCandidates）、コモンサーチスペースかＵＥ個別サーチスペースかを示すサーチスペースタイプ（searchSpaceType）等が含まれる。
【００２６】
コントロールリソースセット用の情報要素は、ＤＣＩをサーチする制御リソースセットの時間と周波数（time/frequency）をＵＥに設定する。コントロールリソースセット用の情報要素には、例えば、制御リソースセットＩＤ（controlResourceSetId）、周波数領域リソース（frequencyDomainResouces）、時間領域を示す期間（duration）、リソースエレメントグループ（ＲＥＧ）に対する制御チャネル要素（ＣＣＥ）のマッピングタイプ（cce-REG-MappingType）、周波数領域におけるプリコーダーの粒度（precoderGranularity）、ＰＤＣＣＨのＴＣＩ状態（tci-StatesPDCCH）、ＤＣＩにおけるＴＣＩフィールドの有無（tci-PresentInDCI）、ＰＤＣＣＨ用のＤＭＲＳのスクランブリングＩＤ（pdcch-DMRS-ScramblingID）等が含まれる。
【００２７】
基地局は、複数の送信ポイントから送信されるＤＣＩについてＵＥが同時に受信可能となる最大数（例えば、Ｎ）に関する情報を上位レイヤ（例えば、ＲＲＣシグナリング等）を利用して当該ＵＥに設定する。ＵＥは、基地局から通知された情報に基づいて、所定期間（例えば、スロット、所定シンボル期間、又はサブフレーム等）に当該ＵＥに送信されるＤＣＩ（例えば、実際に送信されるＤＣＩ）がＮ以下であると想定して受信処理を行う。例えば、ＵＥは、所定期間においてＮ個のＤＣＩを検出した場合、その後のＤＣＩの受信処理を停止するように制御してもよい。これにより、受信処理の負荷を低減できる。
【００２８】
基地局は、ＰＤＣＣＨの関連情報（例えば、ＰＤＣＣＨ構成、サーチスペース及び制御リソースセットの少なくとも一つ）と、ＰＤＳＣＨ関連情報との間の関連付け（又は、対応付け）を上位レイヤ等でＵＥに設定する。ＰＤＳＣＨの関連情報は、各送信ポイントからのＰＤＳＣＨを受信するための、ＰＤＳＣＨ、コードワード、ＤＭＲＳポートグループ、及び送信ポイントの少なくとも一つのインデックスに関する情報であってもよい。
【００２９】
ＵＥは、基地局から通知される関連付け情報に基づいて、所定のＰＤＣＣＨ構成、サーチスペース及び制御リソースセットの少なくとも一つにおいて、ＰＤＣＣＨのモニタを行いＤＣＩを受信する。これにより、ＵＥは、各送信ポイントから送信されるＰＤＳＣＨと、当該ＰＤＳＣＨをスケジューリングするＤＣＩが送信されるＰＤＣＣＨ構成、サーチスペース及び制御リソースセットの少なくとも一つを判断して受信処理を行うことができる。
【００３０】
また、ＵＥは、所定期間においてＰＤＳＣＨが送信される最大の送信ポイントの数（Ｍ）が、Ｎ個以上（Ｎ≦Ｍ）であると想定してもよい。
【００３１】
基地局は、複数の送信ポイントから送信される複数のＤＣＩに対して、サーチスペースＩＤ及び制御リソースセットＩＤの少なくとも一方が固有（unique）となるように設定してもよい。
【００３２】
複数の送信ポイントから送信される複数のＤＣＩに対して、固有のサーチスペースＩＤが設定される場合の一例を図３に示す。図３では、一例として、ＰＤＳＣＨが送信される送信ポイント数が２（Ｍ＝２）の場合を示している。この場合、サーチスペース構成と所定の送信ポイントに対応するＰＤＳＣＨ関連情報とが関連づけられる。具体的には、各サーチスペースＩＤに対していずれかの送信ポイントに対応するＰＤＳＣＨ関連情報（＃０又は＃１）が関連づけられる。
【００３３】
図３では、サーチスペースＩＤ＃０、＃１等に対して送信ポイント＃０から送信されるＰＤＳＣＨ関連情報＃０がそれぞれ対応づけられる場合を示している。また、サーチスペースＩＤ＃Ｂ−２、＃Ｂ−１等に対して送信ポイント＃０から送信されるＰＤＳＣＨ関連情報＃１がそれぞれ対応づけられる場合を示している。
【００３４】
ＵＥは、サーチスペースＩＤ＃０、＃１等でＤＣＩを検出した場合、送信ポイント＃０から送信されるＰＤＳＣＨであると判断する。一方で、ＵＥは、サーチスペースＩＤ＃Ｂ−２、＃Ｂ−１等でＤＣＩを検出した場合、送信ポイント＃１から送信されるＰＤＳＣＨであると判断する。
【００３５】
図４に、複数の送信ポイントから送信される複数のＤＣＩに対して、固有の制御リソースセットＩＤが設定される場合の一例を示す。図４では、一例として、ＰＤＳＣＨが送信される送信ポイント数が３（Ｍ＝３）の場合を示している。この場合、制御リソースセット構成と所定の送信ポイントに対応するＰＤＳＣＨ関連情報とが関連づけられる。具体的には、各制御リソースセットＩＤに対していずれかの送信ポイントに対応するＰＤＳＣＨ関連情報（＃０、＃１又は＃２）が関連づけられる。
【００３６】
図４では、制御リソースセットＩＤ＃０、＃１等に対して送信ポイント＃０から送信されるＰＤＳＣＨ関連情報＃０がそれぞれ対応づけられる場合を示している。また、制御リソースセットＩＤ＃ｘ等に対して送信ポイント＃１から送信されるＰＤＳＣＨ関連情報＃１がそれぞれ対応づけられる場合を示している。また、制御リソースセットＩＤ＃Ａ−１等に対して送信ポイント＃２から送信されるＰＤＳＣＨ関連情報＃２がそれぞれ対応づけられる場合を示している。
【００３７】
ＵＥは、制御リソースセットＩＤ＃０、＃１等でＤＣＩを検出した場合、送信ポイント＃０から送信されるＰＤＳＣＨであると判断する。ＵＥは、制御リソースセットＩＤ＃ｘ等でＤＣＩを検出した場合、送信ポイント＃１から送信されるＰＤＳＣＨであると判断する。ＵＥは、制御リソースセットＩＤ＃Ａ−１等でＤＣＩを検出した場合、送信ポイント＃２から送信されるＰＤＳＣＨであると判断する。
【００３８】
あるいは、基地局は、１つの送信ポイントから送信されるＤＣＩに対して、サーチスペースＩＤ及び制御リソースセットＩＤの少なくとも一方が固有（unique）となるように設定してもよい。この場合、複数の送信ポイントにわたってＩＤを分けて設定してもよい。例えば、サーチスペース及び制御リソースセットが対応するＰＤＣＣＨ構成ＩＤと関連付けて設定される（例えば、ＰＤＳＣＨ関連情報とＰＤＣＣＨ構成とを対応づける）構成としてもよい。
【００３９】
図５に、１つの送信ポイントから送信されるＤＣＩに対して、固有のサーチスペースＩＤ及び固有の制御リソースセットＩＤが設定される場合の一例を示す。図５では、一例として、ＰＤＳＣＨが送信される送信ポイント数が２（Ｍ＝２）の場合を示している。この場合、所定のサーチスペースＩＤ及び制御リソースセットＩＤを含むＰＤＣＣＨ構成と、所定の送信ポイントに対応するＰＤＳＣＨ関連情報とが関連づけられる。具体的には、各ＰＤＣＣＨ構成ＩＤに対していずれかの送信ポイントに対応するＰＤＳＣＨ関連情報（＃０又は＃１）が関連づけられる。
【００４０】
図５では、制御リソースセットＩＤ＃０〜＃Ａ−１とサーチスペースＩＤ＃０〜＃Ｂ−１が含まれるＰＤＣＣＨ構成ＩＤ＃０に対して送信ポイント＃０から送信されるＰＤＳＣＨ関連情報＃０が対応づけられる場合を示している。一方で、制御リソースセットＩＤ＃０〜＃Ａ’−１とサーチスペースＩＤ＃０〜＃Ｂ’−１が含まれるＰＤＣＣＨ構成ＩＤ＃１に対して送信ポイント＃１から送信されるＰＤＳＣＨ関連情報＃０が対応づけられる場合を示している。
【００４１】
ＵＥは、ＰＤＣＣＨ構成ＩＤ＃０でＤＣＩを検出した場合、送信ポイント＃０から送信されるＰＤＳＣＨであると判断する。ＵＥは、ＰＤＣＣＨ構成ＩＤ＃１でＤＣＩを検出した場合、送信ポイント＃１から送信されるＰＤＳＣＨであると判断する。このように、各送信ポイントから送信されるＤＣＩ毎にＰＤＣＣＨ構成を対応づけることにより、ＵＥはＰＤＣＣＨ構成ＩＤに基づいてＤＣＩの検出を制御することができる。
【００４２】
＜ＤＣＩの最大数Ｎが非設定時＞
ＵＥは、所定期間に送信され得るＤＣＩの最大数（Ｎ）に関する情報が基地局から通知されない場合、ＤＣＩの最大数（Ｎ）が所定値であると想定してもよい。例えば、ＵＥは、上位レイヤでＮが設定されない場合、Ｎ＝１と想定して受信処理を制御する。あるいは、ＵＥは、ＤＣＩの最大数（Ｎ）が、設定される送信ポイントの数（Ｍ）と等しいと想定してもよい。
【００４３】
このように、所定期間に送信され得るＤＣＩの最大数（Ｎ）が上位レイヤで設定されない場合に、所定値であると想定して受信処理を行うことにより、無駄な復号回数の増大を抑制できる。
【００４４】
＜アグリゲーションレベル＞
サーチスペースには複数種類のアグリゲーションレベル（ＡＬ：Aggregation  Level）が規定される。ＡＬは、ＤＣＩを構成するリソースユニット（例えば、制御チャネル要素（ＣＣＥ））の数に対応する。ＡＬは、ＣＣＥアグリゲーションレベルと呼ばれてもよい。また、サーチスペースは、或るＡＬに対して複数のＰＤＣＣＨ候補を有する。例えば、ＡＬ（１、２、４、８、１６）に対してそれぞれ所定のＰＤＣＣＨ候補が対応して設定されてもよい。
【００４５】
ＵＥは、上位レイヤで設定されるＤＣＩの最大数（Ｎ）が１より大きい場合（Ｎ＞１）、複数のＤＣＩ（各ＤＣＩを構成するＣＣＥ）が同じアグリゲーションレベルであると想定してもよい。基地局は、ＵＥに送信する複数のＤＣＩに対して同じアグリゲーションレベルを適用すればよい。これにより、ユーザ端末がモニタするＡＬを少なくすることができるため、ＵＥの受信処理の低減又は復号回数の低減を図ることができる。
【００４６】
異なるアグリゲーションレベルに対応するＤＣＩはエラー確率が異なるため、ＭＣＬ（Max  Coupling  Loss）はアグリゲーションレベルが最小のＤＣＩにより規定される。複数のＤＣＩを同じアグリゲーションレベルに設定することで、複数のＤＣＩを同じＭＣＬで通知できる。
【００４７】
あるいは、複数のＤＣＩに対して、適用するアグリゲーションレベルを制限してもよい。例えば、ＵＥは、１つのＤＣＩのアグリゲーションレベルがＸであり、他のＤＣＩのアグリゲーションレベルがＸ以下（又は、Ｘ未満）であると想定して受信処理を行ってもよい。アグリゲーションレベルが高い場合にはＣＣＥ数が多くなるため、複数のＤＣＩのアグリゲーションレベルを高くするとブロッキング等の問題が生じる。そのため、複数のＤＣＩのアグリゲーションレベルのうち、一部のアグリゲーションレベルを高くすることにより、ブロッキングの発生を低減することができる。
【００４８】
（第２の態様）
第２の態様では、ＵＥがＤＣＩのモニタを行う送信ポイントに対応するＰＤＣＣＨ関連情報を基地局から指示又はアクティブ化する。
【００４９】
例えば、基地局は、所定のＤＬ信号（例えば、ＭＡＣ制御情報（ＭＡＣ  ＣＥ））を利用して、ＵＥがＤＣＩをモニタすべき送信ポイントに対するＰＤＣＣＨ構成、サーチスペース及び制御リソースセットの少なくとも一つを通知又はアクティブ化する。
【００５０】
ＵＥに設定される送信ポイント数（又は、ＤＣＩ構成の数）が、所定期間においてＵＥが同時に受信可能となるＤＣＩの最大数（Ｎ）より多くなる場合も生じる。この場合、ＵＥに対してモニタすべき対象を指示又はアクティブ化することにより、Ｎ個以上の送信ポイントが設定される場合であっても、ＵＥは、最大Ｎ個の送信ポイントからのＤＣＩを適切にモニタすることができる。
【００５１】
図６に、基地局からＵＥに対してモニタすべきＤＣＩに関する情報を通知する場合の一例を示す。基地局からＵＥに通知するモニタすべきＤＣＩに関する情報は、所定のＰＤＣＣＨ構成、サーチスペース及び制御リソースセットの少なくとも一つであってもよい。あるいは、基地局からＵＥに通知するモニタすべきＤＣＩに関する情報は、送信ポイントを指定する情報、及びＰＤＳＣＨ関連情報の少なくとも一つであってもよい。
【００５２】
図６では、一例として、ＰＤＳＣＨが送信される送信ポイント数が３（Ｍ＝３）の場合を示している。例えば、基地局は、上位レイヤ等を利用して、送信ポイント＃０、＃１、＃２に対するＰＤＣＣＨ構成を設定する。ここでは、基地局が、所定期間にＵＥが受信可能なＤＣＩの最大数（Ｎ）が２であることを通知する場合を想定する。
【００５３】
図６では、ＵＥに対して、制御リソースセットＩＤ＃０〜＃Ａ−１とサーチスペースＩＤ＃０〜＃Ｂ−１が含まれるＰＤＣＣＨ構成が設定される。また、サーチスペースＩＤ＃０等に対して送信ポイント＃０から送信されるＰＤＳＣＨ関連情報＃０が対応づけられる。また、サーチスペースＩＤ＃ｘ等に対して送信ポイント＃１から送信されるＰＤＳＣＨ関連情報＃１が対応づけられる。サーチスペースＩＤ＃Ｂ−１等に対して送信ポイント＃２から送信されるＰＤＳＣＨ関連情報＃２が対応づけられる。
【００５４】
基地局は、ＵＥが最大Ｎ個（ここでは、２個）までのＤＣＩをモニタするようにＭＡＣ  ＣＥを用いて、ＰＤＣＣＨ構成、サーチスペース及び制御リソースセットの少なくとも一つ（ここでは、サーチスペースＩＤ）を指定又はアクティブ化する。
【００５５】
例えば、基地局は、送信ポイント＃０と＃１の少なくとも一方に対応するサーチスペースＩＤ、送信ポイント＃１と＃２の少なくとも一方に対応するサーチスペースＩＤ、又は送信ポイント＃０と＃２の少なくとも一方に対応するサーチスペースＩＤのいずれかを通知する。送信ポイント＃０と＃１の少なくとも一方に対応するサーチスペースＩＤは、送信ポイント＃０のみに対応するサーチスペースＩＤ、送信ポイント＃１のみに対応するサーチスペースＩＤ、又は送信ポイント＃０と＃１の両方に対応するサーチスペースＩＤのいずれかであってもよい。
【００５６】
これにより、ＵＥが同時に受信できるＤＣＩの最大数（Ｎ）より多くの送信ポイントが設定される場合であっても、あらかじめ指定されたＰＤＣＣＨ構成等をモニタすることにより、受信処理の負荷の増大を抑制できる。
【００５７】
あるいは、基地局は、ＵＥがＮ未満（例えば、１個）のＤＣＩをモニタするようにＭＡＣ  ＣＥを用いて、ＰＤＣＣＨ構成、サーチスペース及び制御リソースセットの少なくとも一つを指定又はアクティブ化してもよい。例えば、基地局は、送信ポイント＃０に対応するＰＤＣＣＨ関連情報、送信ポイント＃１に対応するＰＤＣＣＨ関連情報、又は送信ポイント＃２に対応するＰＤＣＣＨ関連情報のいずれかを通知する。
【００５８】
このように、ＵＥが基地局から指定又はアクティブ化されたＰＤＣＣＨ構成、サーチスペース及び制御リソースセットの少なくとも一つに基づいてＤＣＩの受信処理を行うことにより、ＵＥの受信処理の負荷を低減することができる。
【００５９】
（第３の態様）
第３の態様では、基地局から通知される情報に基づいてＵＥにおけるＤＣＩの受信処理（例えば、復号するＤＣＩ数等）を制御する。
【００６０】
基地局は、複数の送信ポイントに対して、ＵＥが同時（又は、所定期間内）に受信する最大のＤＣＩ数（Ｎ）を上位レイヤ及びＭＡＣ  ＣＥの少なくとも一つを利用して設定する。例えば、Ｎ＞１の場合、ＵＥは、Ｎ個のＤＣＩを同時（又は、所定期間内）に受信するまでサーチスペース又は制御リソースセットにおけるＤＣＩの復号処理を続ける必要がある。
【００６１】
一方で、通信状況によっては、ある期間において必ずしもＤＣＩがＮ個送信されるとは限られず、実際に送信されるＤＣＩがＮ個より少ない場合も生じる。かかる場合に、ＵＥが、各期間においてＤＣＩがＮ個送信されると想定して受信処理を行うと受信処理の負荷が高くなるおそれがある。
【００６２】
そのため、第３の態様では、所定期間において実際に送信されるＤＣＩに関する情報をＵＥに通知する。
【００６３】
＜ＤＣＩ数の通知＞
基地局は、所定期間において実際に送信を行うＤＣＩ数に関する情報を明示的（explicitly）又は暗示的（implicitly）にＵＥに通知してもよい。例えば、所定のＤＣＩ（又は、ＤＣＩフォーマット）に含まれる所定フィールドを利用してＤＣＩ数に関する情報をＵＥに通知する。
【００６４】
一例として、１ビットで構成される所定フィールドを利用して、ＵＥにＤＣＩ数を通知する。この場合、ビット値が“０”の場合に送信されるＤＣＩ数が１であり、ビット値が“１”の場合に送信されるビット数がＮ（例えば、２個）としてもよい。
【００６５】
ＵＥは、受信したＤＣＩ（例えば、最初に受信したＤＣＩ）に含まれる所定フィールドに基づいて、同時に（又は所定期間に）実際に送信されるＤＣＩ数を判断することができる。また、ＵＥは、ＤＣＩの所定フィールドに基づいて、当該ＵＥが他のＤＣＩの検出をミスしたか否かを判断することができる。
【００６６】
図７は、各所定期間（ここでは、スロット）において、複数の送信ポイントから送信されるＤＣＩ数をＵＥに通知する場合の一例を示している。スロット＃０、＃２では、送信ポイント＃０と＃１からＤＣＩ（合計２個のＤＣＩ）が送信されるため、基地局はＤＣＩの所定フィールドのビット値を“１”としてＵＥに通知する。
【００６７】
スロット＃１では、送信ポイント＃０からＤＣＩ（例えば、１個のＤＣＩ）が送信されるため、基地局はＤＣＩの所定フィールドのビット値を“０”としてＵＥに通知する。スロット＃３では、送信ポイント＃１からＤＣＩ（例えば、１個のＤＣＩ）が送信されるため、基地局はＤＣＩの所定フィールドのビット値を“０”としてＵＥに通知する。なお、１つの送信ポイントから複数（例えば、２個）のＤＣＩが送信される場合には、基地局はＤＣＩの所定フィールドのビット値を“１”としてＵＥに通知してもよい。
【００６８】
＜ＤＣＩの送信ポイントの通知＞
基地局は、所定のＤＣＩ（又は、ＤＣＩフォーマット）に含まれる所定フィールドを利用して、所定期間において実際に送信されるＤＣＩの送信ポイント、実際に送信されるＤＣＩに対応するＰＤＳＣＨ、コードワード、ＤＭＲＳポートグループ、ＰＤＣＣＨ構成ＩＤの少なくとも一つをＵＥに通知してもよい。
【００６９】
一例として、２ビットで構成される所定フィールドを利用して、ＵＥにＤＣＩが送信される送信ポイント（又は、対応するＰＤＳＣＨ等）に関する情報を通知する。この場合、ビット値が“００”の場合に送信ポイント＃０からＤＣＩ（例えば、１ＤＣＩ）が送信され、ビット値が“０１”の場合に送信ポイント＃１からＤＣＩ（例えば、１ＤＣＩ）が送信され、ビット値が“１０”の場合にＮＣＪＴとなる送信ポイント＃０と＃１からＤＣＩ（例えば、２ＤＣＩ）が送信される構成としてもよい。
【００７０】
例えば、図７において、スロット＃０、＃２では、送信ポイント＃０と＃１からＮＣＪＴのＰＤＳＣＨをスケジューリングするＤＣＩがそれぞれ送信されるため、基地局はＤＣＩの所定フィールドのビット値を“１０”としてＵＥに通知する。スロット＃１では、送信ポイント＃０からＤＣＩが送信されるため、基地局はＤＣＩの所定フィールドのビット値を“００”としてＵＥに通知する。スロット＃３では、送信ポイント＃１からＤＣＩが送信されるため、基地局はＤＣＩの所定フィールドのビット値を“０１”としてＵＥに通知する。
【００７１】
なお、ＤＣＩに含まれる所定フィールドは、ＤＣＩの数又はＤＣＩの送信ポイント等を通知するために設定されたフィールドであってもよいし、他の用途のフィールドを利用してもよい。他の用途のフィールドは、レートマッチング（ＲＭ）の通知に利用するフィールド及び疑似コロケーション（ＱＣＬ）の通知に利用するフィールドの少なくとも一方であってもよい。
【００７２】
（第４の態様）
第４の態様では、複数の送信ポイントを利用した通信において、所定のＵＥ能力情報（UE  capability）を設定する場合について説明する。
【００７３】
例えば、複数の送信ポイントを利用する通信において、以下のＵＥ能力情報を設定してもよい。以下のＵＥ能力情報は、ＵＥ毎に設定されてもよいし、送信ポイント毎に設定されてもよい。
【００７４】
（１）ＰＤＣＣＨ構成の最大数（Max  number  of  PDCCH-Config）
（２）サーチスペース構成の最大数（Max  number  of  search  space  configuration）
（３）制御リソースセット構成の最大数（Max  number  of  control  resource  set  configuration）
（４）ＰＤＣＣＨブラインド復号能力の最大数（Max  number  of  PDCCH  blind  detection  capability）
【００７５】
なお、ＵＥ能力情報（１）−（４）は、各送信ポイントに対して同じ値として定義してもよいし、異なる値として定義してもよい。
【００７６】
複数の送信ポイントを利用した通信におて、ＵＥ毎のサーチスペース構成の最大数がＰである場合、図３、図４、図６におけるＢはＰ以下（Ｂ≦Ｐ）、図５におけるＢ＋Ｂ’はＰ以下（Ｂ≦Ｐ）としてもよい。
【００７７】
複数の送信ポイントを利用した通信におて、送信ポイント毎のサーチスペース構成の最大数がＰである場合、図３、図４、図６においてＰＤＳＣＨ指示に関連づけられるサーチスペース構成は、Ｐ以下（又は、Ｐ未満）としてもよい。例えば、図３おいてＢ／２≦Ｐ、図６においてＢ≦Ｐ，Ｂ’≦Ｐとしてもよい。
【００７８】
（第５の態様）
第５の態様では、所定期間において複数のＤＣＩが設定されているか否か（複数のＤＣＩの設定有無）についてＤＣＩを利用してＵＥに通知する。
【００７９】
ＵＥは、複数の送信ポイントと通信を行う場合、受信したＤＣＩに基づいて所定期間にＤＣＩが複数送信されるか否か、又は送信されるＤＣＩ数を判断してもよい（図８参照）。図８Ａは、ＵＥが送信ポイント＃０と送信ポイント＃１からそれぞれ送信されるＰＤＳＣＨのスケジューリング用ＤＣＩを受信する場合を示している。図８Ｂは、ＤＣＩに含まれるフィールドの一例を示している。
【００８０】
例えば、ＤＣＩに含まれる所定フィールドが第１の値である場合、ＵＥは、当該ＵＥに送信されるＤＣＩが１つであると判断する。この場合、ＵＥは、所定期間において１つのＤＣＩを検出した際に、ＤＣＩの検出を停止するように制御してもよい。
【００８１】
一方で、ＤＣＩに含まれる所定フィールドが第２の値（例えば、第１の値以外）である場合、ＵＥは、複数のＤＣＩが送信されると判断してもよい。なお、所定フィールドは、所定のＤＣＩにのみ含まれる構成としてもよいし、各ＤＣＩに含まれる構成としてもよい。あるいは、所定フィールドが各ＤＣＩに含まれる場合であっても、ＵＥは所定のＤＣＩに含まれる所定フィールドに基づいて送信されるＤＣＩ数を判断してもよい。
【００８２】
ＤＣＩに含まれる所定フィールドのビット数は１ビットとしてもよいし、１より大きいビット（例えば、ｙビット（ｙ＞１））としてもよい。以下に、所定フィールドのビット数が１ビットとする場合と、ｙビットとする場合のＵＥに通知する情報の一例を説明する。
【００８３】
＜１ビットの場合＞
ＵＥは、所定のＤＣＩに含まれる所定フィールドのビット値に基づいて、所定期間（例えば、スロット）において当該ＵＥに送信されるＤＣＩが１つであるか複数であるかを判断してもよい。例えば、所定フィールドのビット値が第１の値（例えば、“０”）の場合、ＵＥは、当該ＵＥに対して１つのＤＣＩ（例えば、所定のＤＣＩ）のみが送信されると判断する。この場合、ＵＥは、他のＤＣＩを受信するための動作（例えば、復号処理）を行わないように制御してもよい。
【００８４】
所定フィールドのビット値が第２の値（例えば、“１”）の場合、ＵＥは、当該ＵＥに対して複数のＤＣＩ（例えば、所定のＤＣＩ以外の他のＤＣＩ）が送信されると判断する。この場合、ＵＥは、基地局から通知されるＤＣＩの最大数（Ｎ）を想定して受信処理を制御してもよい。
【００８５】
なお、所定のＤＣＩは、ＣＣＥインデックス及びアグリゲーションレベルの少なくとも一方が最も低いＤＣＩであってもよい。例えば、ＵＥは、ＣＣＥインデックスが最も小さく、且つアグリゲーションレベルが最も低いＤＣＩに含まれる所定フィールドに基づいてＤＣＩが複数送信されるか否かを判断してもよい。
【００８６】
また、複数のＤＣＩが送信される場合、特定のＤＣＩ（例えば、受信したＤＣＩのうち、ＣＣＥインデックス及びアグリゲーションレベルの少なくとも一方が最も低いＤＣＩ）にのみ当該所定フィールドが含まれる構成としてもよい。あるいは、複数のＤＣＩ（例えば、全てのＤＣＩ）に所定フィールドが含まれていてもよい。
【００８７】
＜複数ビットの場合＞
基地局は、所定のＡＬ及び所定のＣＣＥインデックスに対応する所定ＤＣＩに含まれる所定フィールドを利用して、ＵＥが検出すべきＤＣＩ数に関する情報を通知してもよい。つまり、ＵＥは、所定のＡＬ及び所定のＣＣＥインデックスに対応する所定ＤＣＩに含まれる所定フィールドにより、当該ＵＥが検出すべきＤＣＩ数が通知されると想定してもよい。
【００８８】
例えば、所定の制御リソースセット及びサーチスペースの少なくとも一つに対して、ＵＥは、ＡＬ及びＣＣＥインデックスの少なくとも一方が最も低い所定ＤＣＩに含まれる所定フィールドのビット値に基づいて、検出すべきＤＣＩ数を決定する。一例として、ＡＬが最も低いＤＣＩのうち、ＣＣＥが最も低いＤＣＩを所定ＤＣＩとしてもよい。
【００８９】
例えば、ＵＥが以下に示す４つのＤＣＩを検出した場合を想定する（図９参照）。
ＤＣＩ（１）：ＡＬ１且つＣＣＥインデックス１５、所定ビットフィールド“１１”
ＤＣＩ（２）：ＡＬ１且つＣＣＥインデックス１６、所定ビットフィールド“１０”
ＤＣＩ（３）：ＡＬ４且つＣＣＥインデックス８、所定ビットフィールド“０１”
ＤＣＩ（４）：ＡＬ８且つＣＣＥインデックス０、所定ビットフィールド“００”
【００９０】
ここでは、所定ＤＣＩとして、ＡＬが最も低いＤＣＩのうち、ＣＣＥが最も低いＤＣＩを所定ＤＣＩとする場合を例に挙げる。また、ここでは、ＤＣＩに含まれる所定フィールドのビット値として、“１１”が４、“１０”が３、“０１”が２、“００”が１を示すものとする。なお、当該ＤＣＩ以外のＤＣＩ数を示す場合には、“１１”が３、“１０”が２、“０１”が１、“００”が０を示すものとしてもよい。
【００９１】
ここでは、４つのＤＣＩを検出する場合、所定ビットフィールドが２ビットである場合を例に挙げるが、ＤＣＩ数、所定ビットフィールドのビット数はこれに限られない。
【００９２】
この場合、ＵＥは、ＤＣＩ（１）を所定ＤＣＩと判断し、当該ＤＣＩ（１）に含まれる所定ビットフィールド“１１”に基づいて当該ＵＥに送信される合計のＤＣＩ数（ここでは、４個）を決定する。
【００９３】
ここでは、各ＤＣＩ（１）−（４）に含まれる所定フィールドのビット値が異なる値となるように設定している。例えば、所定のＤＣＩ（１）の所定フィールドが実際に送信されるＤＣＩ数を示し、他のＤＣＩ（２）−（４）に含まれる所定フィールドは、当該ＤＣＩよりＡＬが高い（ＡＬが同じ場合にはＣＣＥインデックスがより大きい）ＤＣＩの数を示している。
【００９４】
そのため、ＡＬが最も大きいＤＣＩ（４）の所定ビットフィールドのビット値“００”を受信した場合、ＵＥは、当該ＤＣＩ（４）よりＡＬ及びＣＣＥインデックスが大きいＤＣＩは送信されないと想定してもよい。つまり、ＵＥは、所定フィールドのビット値が“００”となるＤＣＩ（ここでは、ＤＣＩ（４））を受信した場合、当該ＤＣＩよりＡＬ及びＣＣＥインデックスが大きいＤＣＩを検出しないように制御してもよい。
【００９５】
また、ＵＥは、ＤＣＩ（１）−（４）が設定される制御リソースセットに対して、ＡＬ及びＣＣＥインデックスの少なくとも一方が小さいものから復号するように制御してもよい。例えば、ＵＥは、ＡＬが低いＣＣＥのうち、インデックスが小さいＣＣＥから復号する。これにより、ＤＣＩを検出するまで（例えば、全てのＤＣＩの検出が完了するまで）の復号回数を低減することができる。
【００９６】
また、ＤＣＩ（１）−（４）は、同一の制御リソースセット、及び同一のサーチスペースの少なくとも一つで送信されるＤＣＩとしてもよい。これにより、制御リソースセット毎にＣＣＥが設定される場合であっても、各ＤＣＩ（１）−（４）のＣＣＥインデックスが重複するケースを抑制することができる。
【００９７】
また、基地局は、所定の制御リソースセット及びサーチスペースの少なくとも一方において、所定のＡＬ及び所定のＣＣＥインデックスに対応する所定ＤＣＩに含まれる所定フィールドを利用して、ＵＥが検出すべきＤＣＩ数に関する情報を通知してもよい。所定の制御リソースセット（又は、サーチスペース）とは、インデックスが最も小さい制御リソースセット（又は、サーチスペース）であってもよい。
【００９８】
例えば、ＵＥは、インデックスが最も小さい制御リソースセット（又は、サーチスペース）に対して、ＡＬ及びＣＣＥインデックスの少なくとも一方が最も低い所定ＤＣＩに含まれる所定フィールドのビット値に基づいて、検出すべきＤＣＩ数を決定してもよい。一例として、ＡＬが最も低いＤＣＩのうち、ＣＣＥが最も低いＤＣＩを所定ＤＣＩとしてもよい。
【００９９】
また、ＵＥは、少なくとも所定のＤＣＩ（例えば、ＤＣＩ（１））が設定される所定の制御リソースセットに対して、ＡＬ及びＣＣＥインデックスの少なくとも一方が小さいものから復号するように制御してもよい。例えば、ＵＥは、所定の制御リソースセットにおいて、ＡＬが低いＣＣＥのうち、インデックスが小さいＣＣＥから復号する。これにより、ＤＣＩ（１）を検出するまで（又は、全てのＤＣＩの検出を完了するまで）の復号回数を低減することができる。
【０１００】
なお、上述した構成では、実際に送信されるＤＣＩ数の通知に用いられる所定のＤＣＩとして、ＡＬ及びＣＣＥインデックスの少なくとも一方が最小となるＤＣＩとする場合を示したが、これに限られない。例えば、ＤＣＩ数の通知に用いられる所定のＤＣＩとして、ＡＬ及びＣＣＥインデックスの少なくとも一方が最大となるＤＣＩ（例えば、ＤＣＩ（４））としてもよい。
【０１０１】
この場合、ＵＥは、ＡＬ及びＣＣＥインデックスの少なくとも一方が最も高い（又は、２番目に高い）所定ＤＣＩに含まれる所定フィールドのビット値に基づいて、検出すべきＤＣＩ数を決定してもよい。一例として、ＡＬが最も高いＤＣＩのうち、ＣＣＥが最も高いＤＣＩを所定ＤＣＩとしてもよい。ＡＬが高いＤＣＩはＡＬが低いＤＣＩと比較してエラー確率を低くすることができるため、ＤＣＩ数の通知に用いられる所定のＤＣＩのＡＬを高くすることにより、ＵＥにＤＣＩ数に関する情報を適切に通知することができる。
【０１０２】
また、ＵＥは、ＡＬ及びＣＣＥインデックスの少なくとも一方が高いものから復号するように制御してもよい。例えば、ＵＥは、所定の制御リソースセットにおいて、ＡＬが高いＣＣＥのうち、インデックスが高いＣＣＥから復号する。これにより、ＤＣＩ（４）を検出するまで（又は、全てのＤＣＩの検出を完了するまで）の復号回数を低減することができる。なお、ＵＥは、ＡＬが低いＣＣＥのうち、インデックスが小さいＣＣＥから復号してもよい。
【０１０３】
（第６の態様）
第６の態様では、実際に送信されるＤＣＩのトータル数、及びカウント値（又は、累積値）の少なくとも一方についてＤＣＩを利用してＵＥに通知する。
【０１０４】
基地局は、あるＵＥに対して所定期間（例えば、スロット）に送信されるＤＣＩの合計数（トータル数とも呼ぶ）に関する情報と、当該ＤＣＩのカウント値（累積値とも呼ぶ）に関する情報の少なくとも一つを各ＤＣＩに含めてＵＥに通知する（図１０参照）。図１０は、ＤＣＩトータル数通知用フィールドとＤＣＩカウント値通知用フィールドを含むＤＣＩフィールドの一例を示している。
【０１０５】
ＤＣＩのトータル数は、例えば、所定期間にＵＥに実際に送信されるＤＣＩの合計数に相当する。基地局は、各ＤＣＩの所定フィールド（例えば、トータルＤＡＩフィールドと呼んでもよい）を利用してＵＥにトータル数を通知してもよい。また、各ＤＣＩに含まれるトータル数は同じ値としてもよい。
【０１０６】
各ＤＣＩにトータル数に関する情報を含めてＵＥに通知することにより、ＵＥは、一部のＤＣＩの検出をミスした場合であっても、受信したＤＣＩに基づいて実際に送信されるＤＣＩのトータル数を把握することができる。
【０１０７】
ＤＣＩのカウント値は、例えば、所定期間に実際にＵＥに送信されるＤＣＩをカウントするために利用される。基地局は、各ＤＣＩの所定フィールド（例えば、カウンタＤＡＩフィールドと呼んでもよい）を利用してＵＥに各ＤＣＩのカウント値を通知してもよい。各ＤＣＩに含まれるカウント値は異なる値としてもよい。例えば、各ＤＣＩに対応するＰＤＣＣＨ構成、制御リソースセット及びサーチスペースの少なくとも一つインデックス順にカウント値を決定してもよい。
【０１０８】
各ＤＣＩにカウント値に関する情報を含めてＵＥに通知することにより、ＵＥは、一部のＤＣＩの検出をミスした場合であっても、検出ミスしたＤＣＩのカウント値を把握することができる。
【０１０９】
また、ＤＣＩのＤＣＩのトータル数、及びカウント値に関する情報を含めることにより、仮にカウント値が最後となるＤＣＩを検出ミスした場合であっても、ＵＥがＤＣＩのトータル数を適切に把握することができる。
【０１１０】
ＤＣＩのトータル数とカウント値は、制御リソースセット毎（又は、サーチスペース毎）に適用してもよい。この場合、各制御リソースセットＩＤ（又は、各サーチスペースＩＤ）においてそれぞれ送信されるＤＣＩ数に基づいて、各制御リソースセットＩＤ（又は、各サーチスペースＩＤ）毎にトータル数及びカウント値を設定する。この場合、ＵＥは、制御リソースセット毎（又は、サーチスペース毎）に送信されるＤＣＩ数を把握してＤＣＩの受信処理を制御できる。
【０１１１】
あるいは、ＤＣＩのトータル数とカウント値は、全ての制御リソースセット（又は、全てのサーチスペース）にわたって適用してもよい。この場合、全ての制御リソースセットＩＤ（又は、全てのサーチスペースＩＤ）において送信されるＤＣＩ数に基づいて、トータル数及びカウント値を設定する。この場合、ＵＥは、全ての制御リソースセット（又は、全てのサーチスペース）にわたって送信されるＤＣＩ数を把握してＤＣＩの受信処理を制御できるため、受信処理を簡略化することができる。
【０１１２】
（無線通信システム）
以下、本実施の形態に係る無線通信システムの構成について説明する。この無線通信システムでは、上記複数の態様の少なくとも一つの組み合わせを用いて通信が行われる。
【０１１３】
図１１は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１１４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１１５】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１１６】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１１７】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１８】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１９】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【０１２０】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１２１】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１２２】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１２３】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１２４】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１２５】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１２６】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１２７】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２８】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２９】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３０】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１３１】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１３２】
＜無線基地局＞
図１２は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１３３】
下りリンクによって無線基地局１０からユーザ端末２０に送信されるユーザデータは、上位局装置３０から伝送路インターフェース１０６を介してベースバンド信号処理部１０４に入力される。
【０１３４】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１３５】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３６】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３７】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３８】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３９】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１４０】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１４１】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１４２】
また、送受信部１０３は、複数の送信ポイントから送信される下り共有チャネルのスケジューリングに利用される１以上の下り制御情報を送信する。送受信部１０３は、下り制御チャネル構成、サーチスペース及び制御リソースセット構成の少なくとも一つと、前記下り共有チャネルの関連情報と、の間に設定される関連付け情報を送信してもよい。また、送受信部１０３は、複数の送信ポイントから送信される下り制御情報の最大数に関する情報を送信してもよい。
【０１４３】
また、送受信部１０３は、下り制御情報の所定フィールドを利用して、所定期間に送信される下り制御情報の数に関する情報を送信してもよい。また、送受信部１０３は、下り制御情報の所定フィールドを利用して、所定期間に送信される下り制御情報のトータル数に関する情報、及び所定期間に送信される下り制御情報のカウンタ値に関する情報の少なくとも一つを送信してもよい。
【０１４４】
図１３は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１４５】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１４６】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１４７】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１４８】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１４９】
制御部３０１は、複数の送信ポイントから送信されるＤＣＩの送信、当該ＤＣＩを利用してＰＤＳＣＨのスケジューリングを制御する。
【０１５０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１５２】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１５３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１５４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１５５】
測定部３０５は、受信した信号に関する測定を実施する。測定部３０５は、本開示に係る技術分野での共通認識に基づいて説明される測定器、測定回路又は測定装置から構成することができる。
【０１５６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１５７】
＜ユーザ端末＞
図１４は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１６１】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１６２】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１６３】
送受信部２０３は、送信ビームを用いて信号を送信してもよいし、受信ビームを用いて信号を受信してもよい。送受信部２０３は、制御部４０１によって決定された所定のビームを用いて信号を送信及び／又は受信してもよい。
【０１６４】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、無線基地局１０に対して上り（ＵＬ）信号（ＵＬデータ信号、ＵＬ制御信号、ＵＬ参照信号の少なくとも一つを含む）を送信する。
【０１６５】
また、送受信部２０３は、複数の送信ポイントから送信される下り共有チャネルのスケジューリングに利用される１以上の下り制御情報を受信する。送受信部２０３は、下り制御チャネル構成、サーチスペース及び制御リソースセット構成の少なくとも一つと、前記下り共有チャネルの関連情報と、の間に設定される関連付け情報を受信してもよい。また、送受信部２０３は、複数の送信ポイントから送信される下り制御情報の最大数に関する情報を受信してもよい。
【０１６６】
また、送受信部２０３は、所定期間に送信される下り制御情報の数に関する情報、及び所定期間に送信される下り制御情報に対応する前記下り共有チャネルの関連情報の少なくとも一つを受信してもよい。
【０１６７】
また、送受信部２０３は、下り制御情報の所定フィールドを利用して、所定期間に送信される下り制御情報の数に関する情報を受信してもよい。また、送受信部２０３は、下り制御情報の所定フィールドを利用して、所定期間に送信される下り制御情報のトータル数に関する情報、及び所定期間に送信される下り制御情報のカウンタ値に関する情報の少なくとも一つを受信してもよい。
【０１６８】
図１５は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１６９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７０】
制御部４０１は、ユーザ端末２０全体の制御を実施する。制御部４０１は、本開示に係る技術分野での共通認識に基づいて説明されるコントローラ、制御回路又は制御装置から構成することができる。
【０１７１】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１７２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７３】
制御部４０１は、下り制御チャネル構成、サーチスペース及び制御リソースセット構成の少なくとも一つと、前記下り共有チャネルの関連情報と、の間に設定される関連付け情報に基づいて下り制御チャネル（又は、下り制御情報）のモニタを制御する。
【０１７４】
また、制御部４０１は、基地局から通知される情報又は所定値に基づいて、複数の送信ポイントから送信される下り制御情報の最大数を決定してもよい。また、制御部４０１は、複数の下り制御情報を受信する場合に前記複数の下り制御情報のアグリゲーションレベルが同じであると判断してもよい。また、制御部４０１は、複数の送信ポイントと通信を行う場合、基地局から通知される情報に基づいて、下り制御チャネルのモニタを行う所定の送信ポイントを決定してもよい。また、制御部４０１は、所定期間に送信される下り制御情報の数に関する情報、及び所定期間に送信される下り制御情報に対応する下り共有チャネルの関連情報の少なくとも一つの受信を制御してもよい。
【０１７５】
また、制御部４０１は、受信した下り制御情報に含まれる情報に基づいて、所定期間に送信される下り制御情報の数を判断してもよい。また、制御部４０１は、所定の制御チャネル要素及び所定のアグリゲーションレベルの少なくとも一方に対応する下り制御情報に含まれる所定フィールドに基づいて、所定期間に送信される下り制御情報の数を決定してもよい。なお、各下り制御情報の前記所定フィールドに含まれる情報はそれぞれ異なっていてもよい。
【０１７６】
また、制御部４０１は、受信した下り制御情報に含まれる所定フィールドの値が所定値である場合、下り制御情報の検出を停止してもよい。また、制御部４０１は、所定の制御リソースセット及び所定のサーチスペースインデックスの少なくとも一方を適用して送信される下り制御情報に含まれる所定フィールドに基づいて、所定期間に送信される下り制御情報の数を決定してもよい。
【０１７７】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１７８】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１７９】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８０】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８１】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１８２】
測定部４０５は、受信した信号に関する測定を実施する。測定部４０５は、本開示に係る技術分野での共通認識に基づいて説明される測定器、測定回路又は測定装置から構成することができる。
【０１８３】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１８４】
＜ハードウェア構成＞
なお、本実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１８５】
例えば、本実施の形態における無線基地局、ユーザ端末などは、本実施の形態の各態様の処理を行うコンピュータとして機能してもよい。図１６は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８６】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１８８】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１８９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９０】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の本実施の形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１９２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１９４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１９５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９６】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９７】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９８】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１９９】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２００】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてもよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０１】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０２】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２０３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２０４】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２０５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２０６】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０９】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１０】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１１】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１２】
また、情報、信号などは、上位レイヤから下位レイヤ、及び／又は下位レイヤから上位レイヤへ出力され得る。情報、信号などは、複数のネットワークノードを介して入出力されてもよい。
【０２１３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１４】
情報の通知は、本明細書において説明した態様／本実施の形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２０】
本明細書において使用する「システム」及び「ネットワーク」という用語は、互換的に使用される。
【０２２１】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２２２】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２２３】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２２４】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／本実施の形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２２６】
同様に、本明細書におけるユーザ端末は、無線基地局で読み替えてもよい。この場合、上述のユーザ端末２０が有する機能を無線基地局１０が有する構成としてもよい。
【０２２７】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２８】
本明細書において説明した各態様／本実施の形態は単独で用いてもよいし、組み合わせて用いてもよいし、実行に伴って切り替えて用いてもよい。また、本明細書で説明した各態様／本実施の形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２９】
本明細書において説明した各態様／本実施の形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３０】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３１】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２３２】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３３】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２３４】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２３５】
本明細書において、「ＡとＢが異なる」という用語は、「ＡとＢが互いに異なる」ことを意味してもよい。「離れる」、「結合される」などの用語も同様に解釈されてもよい。
【０２３６】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２３７】
以上、本発明について詳細に説明したが、当業者にとっては、本発明が本明細書中に説明した本実施の形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019239503.tif 000003
【図２】
2019239503.tif 000004
【図３】
2019239503.tif 000005
【図４】
2019239503.tif 000006
【図５】
2019239503.tif 000007
【図６】
2019239503.tif 000008
【図７】
2019239503.tif 000009
【図８】
2019239503.tif 000010
【図９】
2019239503.tif 000011
【図１０】
2019239503.tif 000012
【図１１】
2019239503.tif 000013
【図１２】
2019239503.tif 000014
【図１３】
2019239503.tif 000015
【図１４】
2019239503.tif 000016
【図１５】
2019239503.tif 000017
【図１６】
2019239503.tif 000018
【国際調査報告】
2019239503.tif 000019
2019239503.tif 000020
2019239503.tif 000021
2019239503.tif 000022